【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】
貫通孔を有する筒状部を備えたケースと、前記ケースの貫通孔に挿入される逆止カートリッジ本体と、前記逆止カートリッジ本体を前記ケース本体に取付ける、筒状部を有する取付け部材とを備え、前記逆止カートリッジ本体は、非閉鎖型のハウジングと、該ハウジングの一端側開口部に設けられた弁座部材と、前記ハウジング内に収納された弁体と、該弁体を前記弁座部材に向けて付勢するバネとを備え、前記逆止カートリッジ本体は、前記弁座部材側において前記取付け部材の筒状部内側に形成されたカートリッジ嵌合部に嵌り、前記弁座部材と反対の側から前記ケースの前記貫通孔に挿入され、前記取付け部材が前記ケースに着脱自在に取付けられることを特徴とする、逆止弁。
【請求項２】
水道の配管或いは機器の接続部に挿入して使用する逆止弁用カートリッジにおいて、前記逆止弁用カートリッジは、前記配管或いは機器の接続部に挿入される逆止カートリッジ本体と、前記逆止カートリッジ本体を前記配管或いは機器の接続部に取付ける、筒状部を有する取付け部材とを備え、前記逆止カートリッジ本体は、非閉鎖型のハウジングと、該ハウジングの一端側開口部に設けられた弁座部材と、前記ハウジング内に収納された弁体と、該弁体を前記弁座部材に向けて付勢するバネとを備え、前記逆止カートリッジ本体は、前記弁座部材側において前記取付け部材の筒状部内側に形成されたカートリッジ嵌合部に嵌り、前記弁座部材と反対の側から前記配管又は機器の接続部に挿入され、前記取付け部材が前記配管或いは機器の接続部に着脱自在に取付けられることを特徴とする、逆止弁用カートリッジ。
【請求項３】
請求項２に記載の逆止弁用カートリッジにおいて、前記取付け部材の前記筒状部に取付け嵌合部が形成され、前記取付け部材は、該取付け嵌合部が前記配管又は前記機器の接続部の孔に挿入されることにより前記配管または機器の接続部に取付けられることを特徴とする、逆止弁用カートリッジ。
【請求項４】
請求項３記載の逆止弁用カートリッジにおいて、前記取付け嵌合部にはおねじが形成され、該おねじが前記配管または機器の接続部に形成されためねじに螺合することにより取付けられることを特徴とする、逆止弁用カートリッジ。
【請求項５】
請求項２乃至４のいずれか１に記載の逆止弁用カートリッジにおいて、前記カートリッジ本体は、前記取付け部材の前記カートリッジ嵌合部に取外し可能に嵌っていることを特徴とする、逆止弁用カートリッジ。
【請求項６】
請求項５記載の逆止弁用カートリッジにおいて、前記弁座部材は、前記弁体が離着座するゴム製の弁座部を備え、前記弁座部材はさらに、前記弁座部と一体に形成され、径方向外方へ拡がる拡径部を備え、前記取付け部材の前記カートリッジ嵌合部内周には前記拡径部が嵌る円周方向に延びる溝が形成されていることを特徴とする、逆止弁用カートリッジ。
【手続補正２】
【補正対象書類名】明細書
【補正対象項目名】０００１
【補正方法】変更
【補正の内容】
【０００１】
【産業上の利用分野】
本発明は水道の配管或いは機器の連結部等に挿入して取付け固定して、流体の逆流を防止する逆止弁用カートリッジに関し、さらに詳細に言えば、取り外しが容易にでき、メンテナンスを行うに便宜な逆止弁用カートリッジに関する。さらに本発明は、そのようなカートリッジを用いた逆止弁に関する。
【手続補正３】
【補正対象書類名】明細書
【補正対象項目名】０００８
【補正方法】変更
【補正の内容】
【０００８】
本発明は上記問題点に鑑みなされたものであり、取り付けた配管或いは機器から容易に取り外しの出来る逆止弁用カートリッジを提供することを目的とする。また、そのようなカートリッジを用いた逆止弁を提供するもその目的である。
【手続補正４】
【補正対象書類名】明細書
【補正対象項目名】０００９
【補正方法】変更
【補正の内容】
【０００９】
【課題を解決するための手段】
上記課題を解決するために本発明は、貫通孔を有する筒状部を備えたケースと、ケースの貫通孔に挿入される逆止カートリッジ本体と、逆止カートリッジ本体をケース本体に取付ける、筒状部を有する取付け部材とを備えた逆止弁を提供する。その逆止カートリッジ本体は、非閉鎖型のハウジングと、該ハウジングの一端側開口部に設けられた弁座部材と、ハウジング内に収納された弁体と、該弁体を弁座部材に向けて付勢するバネとを備える。そしてその逆止カートリッジ本体は、弁座部材側において取付け部材の筒状部内側に形成されたカートリッジ嵌合部に嵌り、弁座部材と反の対側からケースの貫通孔に挿入され、取付け部材はケースに着脱自在に取付けられる。
【手続補正５】
【補正対象書類名】明細書
【補正対象項目名】００１０
【補正方法】変更
【補正の内容】
【００１０】
上記課題を解決するために本発明はさらに、水道の配管或いは機器の接続部に挿入して使用する、改良された逆止弁用カートリッジを提供する。その逆止弁用カートリッジは、配管或いは機器の接続部に挿入される逆止カートリッジ本体と、逆止カートリッジ本体を配管或いは機器の接続部に取付けるための、筒状部を有する取付け部材とを備えている。逆止カートリッジ本体は、非閉鎖型のハウジングと、該ハウジングの一端側開口部に設けられた弁座部材と、ハウジング内に収納された弁体と、該弁体を弁座部材に向けて付勢するバネとを備えている。そして逆止カートリッジ本体は、弁座部材側において取付け部材の筒状部内側に形成されたカートリッジ嵌合部に嵌り、弁座部材と反対の側から配管又は機器の接続部に挿入され、取付け部材は記配管或いは機器の接続部に着脱自在に取付けられるようになっている。
【手続補正６】
【補正対象書類名】明細書
【補正対象項目名】００１１
【補正方法】変更
【補正の内容】
【００１１】
さらに具体的な実施の形態では、取付け部材の筒状部に取付け嵌合部が形成され、取付け部材は、該取付け嵌合部が配管又は機器の接続部の孔に挿入されることにより配管または機器の接続部に取付けられる。さらに具体的には、取付け部材の取付け嵌合部にはおねじが形成され、該おねじが配管または機器の接続部に形成されためねじに螺合するようになっている。
他の具体的実施の形態では、そのカートリッジ本体は、取付け部材のカートリッジ嵌合部に取外し可能に嵌っている。さらには、その弁座部材は、弁体が離着座するゴム製の弁座部を備え、弁座部材はさらに、弁座部と一体に形成され、径方向外方へ拡がる拡径部を備え、この拡径部が、取付け部材のカートリッジ嵌合部内周に形成された円周方向に延びる溝に嵌るようになっている。
【手続補正７】
【補正対象書類名】明細書
【補正対象項目名】００１４
【補正方法】変更
【補正の内容】
【００１４】
このカートリッジ７１はカートリッジ本体７２と取付け部材としてのカバー体７３とからなり、そのカートリッジ本体７２は、図２の従来例のカートリッジ２１と同様の部材を備えている。即ちカートリッジ本体７２は、ハブ２９、アーム３１、底部円環部３３、リブ３５、弁座部材取付け部３７、ポスト３９等を備えたハウジング２５と、このハウジング２５の弁座部材取付け部３７に取付けられる、金属リング４３と、弁座部となる封止部４７、内径被覆部４９、外端被覆部５１とを備えた被覆体４５とから構成される弁座部材２３と、ポスト３９に案内される弁体２７と、付勢手段としてのバネ４１とを備えている。
【手続補正８】
【補正対象書類名】図面
【補正対象項目名】図１
【補正方法】変更
【補正の内容】
【図１】
1999094104.tif 000001